(57)【要約】      （修正有）【課題】スリットを備えた本体に、パウチされた表示板等比較的硬い板状物を挿し込んで確実に保持し、板状物を表示するのに適し、かつ生産性に優れた板状物表示用保持具を提供する。【解決手段】台部１１に立設された正面部１２と背面部１４との間に、板状物が挿入されるスリット１３を有する本体１０と、背面部１４に設けられ、板状物がスリット１３に挿入された際、板状物に対してばね力を付勢するばね部材２０とを備える。ばね部材２０は、側面視、頂部２１ａ及び両裾部２１ｂ、２１ｃを含む山形部２１を備えた板ばねにより構成され、板状物がスリット１３に挿入された際、山形部の頂部２１ａが板状物の表面に当接して山形部２１が弾性変形し、山形部２１の高さが、板状物を挿入する前の状態よりも低くなることによって板状物に対してばね力を付勢する。【選択図】図１
0003181125.tif 000002
【実用新案登録請求の範囲】
【請求項１】
台部に立設された正面部と背面部との間に、板状物が挿入されるスリットを有する本体と、前記背面部に設けられ、前記板状物が前記スリットに挿入された際、該板状物に対してばね力を付勢するばね部材とを備えてなる板状物表示用保持具であって、
前記ばね部材は、側面視、頂部及び両裾部を含む山形部を備えた板ばねにより構成され、前記板状物が前記スリットに挿入された際、前記山形部の頂部が前記板状物の表面に当接して前記山形部が弾性変形し、前記山形部の高さが、前記板状物を挿入する前の状態よりも低くなることによって、前記板状物に対してばね力を付勢することを特徴とする、板状物表示用保持具。
【請求項２】
前記ばね部材は、前記山形部の、前記スリットの手前側の裾部が、前記背面部の所定位置に保持されるとともに、前記板状物が前記スリットに挿入される際、前記山形部の、前記スリットの奥側の裾部が、前記スリットの奥側へと移動可能である、請求項１に記載の板状物表示用保持具。
【請求項３】
前記ばね部材は、側面視、一方端部から直線的に伸びる平板部と、該平板部の他方端部に位置する折り返し部と、該折り返し部に連設された山形部と、該山形部の、前記スリットの奥側の裾部から前記平板部に沿って伸び、終止するスライド部とを備え、
前記平板部の一方端部は、前記スリットの奥側の前記背面部の内面に設けられた係止部に係止されるとともに、前記折り返し部はスリットの手前側の前記背面部の内面に設けられた係止部に係止される、請求項２に記載の板状物表示用保持具。
【請求項４】
前記山形部の、前記スリットの奥側の裾部から前記平板部に沿って伸びる前記スライド部は、前記平板部の一方端部の手前で終止しており、前記スライド部の端部は、前記スリットの奥側の前記背面部の内面に設けられた溝状の係止部内に位置してスライドする、請求項３に記載の板状物表示用保持具。
【請求項５】
前記ばね部材の内側に設けられる第２のばね部材を備え、該第２のばね部材は、前記ばね部材の山形部の内側に沿う山状部と、前記折り返し部に挿入される差込部を有してなる、請求項３又は４に記載の板状物表示用保持具。
【考案の詳細な説明】
【技術分野】
【０００１】
本考案は、スリットを備えた本体に、パウチされた表示板等比較的硬い板状物を挿し込んで保持し、板状物を表示するのに適した板状物表示用保持具に関する。
【背景技術】
【０００２】
特許文献１には、「パチンコ機等の表示具であって、パチンコ機等の機台若しくは幕板の一部に設けられ、少なくとも当該パチンコ機等の機台若しくは幕板の一部と接合する接合部と表示板保持部とから構成されており、当該表示板保持部には、表示板を挿入引抜き自在とする表示板挿入部が設けられていると共に、当該表示板が、当該表示板挿入部内に於いて磁力による挟持力を受ける様に構成されている事を特徴とするパチンコ機等の表示具。」が記載されている。
上記特許文献１に記載された表示具は、表示板保持部３に磁石９、特に互いに極性の異なる永久磁石９、９を当該表示板保持部３を構成する一対の板状体１７及び１８の双方に対向して配置し、当該表示板保持部３に於ける当該表示板５の保持力を強化している。
しかしながら、挿入される表示板を保持するための強力な得るための磁石は、供給が不安定であったり、高価で経済的ではなかったり、生産性に問題がある。
特許文献２には、「所定間隔をおいて対向する正面部と背面部とを台部に立設してなる本体を備えたシート状物立てであって、前記背面部に、前記正面部の高さ方向のほぼ中央部から上部において前記背面部側から前記正面部側に向けて付勢する弾性部材を設けるとともに、前記正面部と前記背面部との間に形成される内側底部に、前記正面部側から前記背面部側に向けて上方へ傾斜する傾斜面部を形成し、前記正面部と前記背面部との間に差されるシート状物を直立した状態で保持する、シート状物立て。」が記載されている。
上記特許文献２に開示された弾性部材２０は、側面視、全体がほぼＶ字状をなしており、弾性部材２０の傾斜部２３が、Ｖ字の屈曲部である反転折り返し部２２を支点として弾性変形によって撓むことによって、シート状物を保持するようにしている。
このため、台部を底面として設置し、比較的大型の表示板等のシート状物を直立した状態で保持するのには適するが、正面部と背面部との間に形成される間隔をスリット状に狭く形成した場合、特に台部を壁面に向けて取り付けて使用するとき等、弾性部材によるシート状物に対する十分な保持力を得にくい傾向がある。
【先行技術文献】
【特許文献】
【０００３】
【特許文献１】登録実用新案第３１１８５８１号公報
【特許文献１】特開２０１１−９５３４６号公報
【考案の概要】
【考案が解決しようとする課題】
【０００４】
本発明は上記事情を考慮して開発されたもので、スリットを備えた本体に、パウチされた表示板等比較的硬い板状物を挿し込んで確実に保持し、板状物を表示するのに適し、かつ生産性に優れた板状物表示用保持具を提供することを課題とする。
【課題を解決するための手段】
【０００５】
（１）台部に立設された正面部と背面部との間に、板状物が挿入されるスリットを有する本体と、前記背面部に設けられ、前記板状物が前記スリットに挿入された際、該板状物に対してばね力を付勢するばね部材とを備えてなる板状物表示用保持具であって、
前記ばね部材は、側面視、頂部及び両裾部を含む山形部を備えた板ばねにより構成され、前記板状物が前記スリットに挿入された際、前記山形部の頂部が前記板状物の表面に当接して前記山形部が弾性変形し、前記山形部の高さが、前記板状物を挿入する前の状態よりも低くなることによって、前記板状物に対してばね力を付勢することを特徴とする、板状物表示用保持具である。
（２）前記ばね部材は、前記山形部の、前記スリットの手前側の裾部が、前記背面部の所定位置に保持されるとともに、前記板状物が前記スリットに挿入される際、前記山形部の、前記スリットの奥側の裾部が、前記スリットの奥側へと移動可能であるものである。
（３）前記ばね部材は、側面視、一方端部から直線的に伸びる平板部と、該平板部の他方端部に位置する折り返し部と、該折り返し部に連設された山形部と、該山形部の、前記スリットの奥側の裾部から前記平板部に沿って伸び、終止するスライド部とを備え、
前記平板部の一方端部は、前記スリットの奥側の前記背面部の内面に設けられた係止部に係止されるとともに、前記折り返し部はスリットの手前側の前記背面部の内面に設けられた係止部に係止されるものである。
（４）前記山形部の、前記スリットの奥側の裾部から前記平板部に沿って伸びる前記スライド部は、前記平板部の一方端部の手前で終止しており、前記スライド部の端部は、前記スリットの奥側の前記背面部の内面に設けられた溝状の係止部内に位置してスライドするものである。
（５）前記ばね部材の内側に設けられる第２のばね部材を備え、該第２のばね部材は、前記ばね部材の山形部の内側に沿う山状部と、前記折り返し部に挿入される差込部を有してなるものである。
【考案の効果】
【０００６】
（１）本考案によれば、ばね部材は、側面視、頂部及び両裾部を含む山形部を備えた板ばねにより構成され、板状物がスリットに挿入された際、山形部の頂部が板状物の表面に当接して山形部が弾性変形し、山形部の高さが、板状物を挿入する前の状態よりも低くなることによって、板状物に対してばね力を付勢することを特徴とするため、従来の側面視ほぼＶ字状のばねよりも十分な保持力を得やすく、板状物を確実に保持することができる。また、磁石を用いるものではなく、生産性に優れる。
（２）ばね部材は、山形部の、スリットの手前側の裾部が、背面部の所定位置に保持されるとともに、板状物がスリットに挿入される際、山形部の、スリットの奥側の裾部が、スリットの奥側へと移動可能である構成により、板状物のスリットへの挿入をスムーズに行うことができ、保持された板状物は脱落しにくい。
（３）ばね部材は、側面視、一方端部から直線的に伸びる平板部と、該平板部の他方端部に位置する折り返し部と、該折り返し部に連設された山形部と、山形部の、スリットの奥側の裾部から平板部に沿って伸び、終止するスライド部とを備え、平板部の一方端部は、スリットの奥側の背面部の内面に設けられた係止部に係止されるとともに、折り返し部はスリットの手前側の背面部の内面に設けられた係止部に係止される構成により、ばね部材を背面部の所定位置に確実に装着することができる。ばねのへたりも生じにくい。
（４）山形部の、スリットの奥側の裾部から平板部に沿って伸びるスライド部は、平板部の一方端部の手前で終止しており、スライド部の端部は、スリットの奥側の背面部の内面に設けられた溝状の係止部内に位置してスライドする構成により、スライド部の円滑なスライド移動が行われ、板状物のスリットへの挿入がよりスムーズとなる。
（５）ばね部材の内側に設けられる第２のばね部材を備え、該第２のばね部材は、ばね部材の山形部の内側に沿う山状部と、折り返し部に挿入される差込部を有してなる構成により、板状物に対して付勢する十分なばね力を簡単に得ることができる。
【図面の簡単な説明】
【０００７】
【図１】板状物表示用保持具１の側面図である。
【図２】ばね部材２０及び第２のばね部材の斜視図である。
【図３】板状物表示用保持具１の使用方法を説明する側面図である。
【図４】板状物表示用保持具１の使用状態を示す斜視図である。
【考案を実施するための形態】
【０００８】
板状物表示用保持具１は、本体１０と、本体に内装されるばね部材２０とを備えてなる。
本体１０は、台部１１と、台部１１に立設された正面部１２と背面部１４とを有し、正面部１２と背面部１４との間には、板状物が挿入されるスリット１３を有している。
ばね部材２０は、背面部１４に設けられ、板状物がスリット１３に挿入された際、該板状物に対してばね力を付勢するようになっている。
本考案は、該ばね部材２０の構成を工夫し、スリット１３に挿し込まれた板状物を確実に保持し、表示できるようにした。
【実施例】
【０００９】
図１は本考案に係る実施例の板状物表示用保持具１の側面図である。
【００１０】
＜本体＞
本体１０は、裏面が壁面等の鉛直面などに取り付けられる平板状の台部１１と、台部１１の中央付近に立設されたほぼ同高さの正面部１２と背面部１４を有している。通常、本体１０は合成樹脂材により一体成形される。
正面部１２と背面部１４は平行に対向しており、正面部１２と背面部１４との間が、板状物が挿入されるスリット１３となっている。スリット１３の間隔は例えば３〜４ｍｍ程度である。
正面部１２は台部１２から直立した平板状に形成されている。背面部１４は、台部１１から平板状に直立するとともに、やや肉厚に形成された先端部１４ａを有し、この先端部１４ａの内部となる背面部１４の上端内面に、ばね部材２０が係止される溝状の係止部１４ｂが形成されている。
板状物の挿し込み口部（スリットの口部）となる、背面部１４の先端部１４ａと正面部１２との間隔は、例えば１〜２ｍｍ程度である。
正面部１２と背面部１４との間の台部１１の上面部、すなわちスリット１３の底部は、正面部１２から背面部１４側へ向かって高くなる斜面部１３ａとして形成され、該斜面部１３ａは背面部１４に接する手前で終止し、台部１１へと垂下しており、背面部１４の下端内面に、ばね部材２０が係止される溝状の係止部１４ｃが形成されている。
なお、本体１０の大きさは、例えば、幅４〜８ｃｍ、奥行き２〜３ｃｍ、高さ２〜３ｃｍ程度のものを挙げることができる。
【００１１】
＜ばね部材＞
ばね部材２０は、板状物がスリット１３に挿入された際、該板状物に対してばね力を付勢するものである。
図２（ａ）に示すとおり、ばね部材２０は、側面視、頂部２１ａ及び両裾部２１ｂ，２１ｃを含む山形部２１を有する板ばねにより構成されている。両裾部２１ｂ，２１ｃは頂部２１ａから山裾へ延びる稜線の終止部である。
頂部２１ａは、板状物を挿入しやすいように、Ｒ状に形成されている。頂部２１ａから両裾部２１ｂ，２１ｃへ向かう稜線は、側面視、直線状あるいは外側へ膨らむ曲線状に形成し得る。
さらに、ばね部材２０は、側面視、一方端部２２ａから直線的に伸びる平板部２２と、該平板部２２の他方端部に位置する折り返し部２３と、該折り返し部２３に連設された山形部２１と、該山形部２１の、スリット１３の奥側の裾部２１ｃから平板部２２に沿って伸び、終止するスライド部２４とを備えている。
折り返し部２３は、本実施例では、１８０°反転屈曲するＵ字状に形成されている。
そして、平板部２２は背面部１４の内面に沿って設置されるとともに、平板部２２の一方端部２２ａは、スリット１３の奥側の背面部１４の内面に設けられた係止部１４ｃに係止されるとともに、折り返し部２３はスリット１３の手前側の背面部１４の内面に設けられた係止部１４ｂに係止されるようになっている。これにより、平板部２２は本体１０の背面部１４の所定位置に固定される。
また、スライド部２４は、平板部２２の一方端部２２ａの手前で終止しており、スライド部２４の端部２４ａは、スリット１３の奥側の背面部１４の内面に設けられた溝状の係止部１４ｃ内に位置してスリット１３の奥方向へスライドするようになっている。
【００１２】
図２（ｂ）は、ばね部材２０の内側に設けられる第２のばね部材３０を示す。
第２のばね部材３０は、ばね部材２０の山形部２１の内面に沿う山状部３１と、ばね部材２０の折り返し部２３の内側に挿入される差込部３３を有している。
図２（ｃ）は、ばね部材２０と第２のばね部材３０とを組み合わせた状態を示している。この状態で、本体１０に装着することができる。
なお、ばね部材２０及び第２のばね部材３０を構成する板ばねは、例えば、厚さ０．１〜０．１５ｍｍ程度のＳＫ材、ステンレス鋼材等の金属板で形成し得る。
ばね部材２０及び第２のばね部材３０の幅等の寸法は特に限定されない。本体１０の長手方向に複数個配設することができる。このように複数個配設する場合、その幅は一例として１．５〜２．５ｃｍ程度である。
【００１３】
＜使用方法＞
上記実施例の板状物表示用保持具１の使用方法について、図３、図４を参照して説明する。なお、実際の使用時における板状物表示保持具１（本体１０）の向きは、通常、正面部１２及び背面部１４が鉛直面となるように台部１１の裏面を壁面に取り付けて使用する場合が多い。また、以下の説明において第２のばね部材３０の山状部３１は、ばね部材２０の山形部２１の変化に追随するため、その説明を省略する。
図３（ａ）に示すように、板状物Ｐを、背面部１４の先端部１４ａと正面部１２との間のスリット１３の口部から、スリット１３の内部へと挿し込む。板状物Ｐは、広告、情報その他の適宜表示が施されたもので、例えば、紙をパウチした、剛性を有する表示板等である。
板状物Ｐを挿し込むと、板状物Ｐの先端部がばね部材２０の山形部２１に当るが、山形部２１の、スリット１３の手前側の裾部２１は背面部１４の所定位置に保持されているも、山形部２１の、スリット１３の奥側の裾部２１ｃは、スリット１３の奥側へとその位置を移動可能であるため、ばね部材２０は、その山形部２１の高さｈ１が、板状物Ｐを挿入する前の状態よりも低くなるように弾性変形する。すなわち、山形部２１に連設されたスライド部２４が、背面部１４の内面に設けた係止部１４ｃ内において、スリット１３の奥方向へとスライド移動して、山形部２１の高さｈ１が低くなるようにばね部材２０は弾性変形する。
そして、板状物Ｐを、ばね部材２０の山形部２１の頂部２１ａと正面部１２との間を通過させて、板状物Ｐの先端部がスリット１３の底部１３ａに突き当たるまで押し込む。
しかして、図３（ｂ）に示すように、板状物Ｐの挿し込みが完了すると、ばね部材２０の山形部２１の頂部２１ａが板状物Ｐの表面に当接して、山形部２１の高さは板状物Ｐを挿入する前の状態よりも板状物Ｐの厚み分、低くなる（高さ：ｈ２となる）ことによって、板状物Ｐに対してばね部材２０のばね力が付勢され、板状物Ｐは、正面部１２の内面と、ばね部材２０の山形部２１の頂部２１ａとによって挟持され、本体１０の所定の位置に保持される。
図４に、板状物Ｐが保持された板状物表示用保持具１の使用状態を示す。
板状物Ｐを板状物表示用保持具１から外す場合は、板状物Ｐの挿入方向と逆方向に引き抜くか、あるいは、挿入方向に対し９０°横方向に引き抜けばよい。
【００１４】
以上、実施するための形態を説明したが、本考案は上記した実施例に限定されるものではなく、本考案の要旨の範囲で適宜、付加、変形等なし得るものである。
本体１０の形状やばね部材２０の本体への装着方法その他、種々変形可能である。
板状物表示用保持具１は、パチンコ店の遊戯台位置などへの設置ほか、設置場所は任意である。また、本体１０の壁面その他への場所への設置手段は任意である。本体１０の台部１１の外面に粘着テープ、マグネット等を張り付けて、各種壁部に設置することができる。
【符号の説明】
【００１５】
１  板状物表示用保持具
１０  本体
Ｐ  板状物
１１  台部
１２  正面部
１３  スリット
１４  背面部
１４ｂ，１４ｃ  係止部
２０  ばね部材
２１  山形部
２１ａ  頂部
２１ｂ，２１ｃ  裾部
２２  平板部
２２ａ  平板部の一方端部
２３  折り返し部
２４  スライド部
３０  第２のばね部材
３１  山状部
３３  差込部
【図１】
0003181125.tif 000003
【図２】
0003181125.tif 000004
【図３】
0003181125.tif 000005
【図４】
0003181125.tif 000006